(57)【特許請求の範囲】
【請求項１】
流量センサが設置される流路の途中に装着されるユニット化された整流器であって、
所定長の筒状の外枠部、及びこの外枠部により形成される開口面を覆い、前記流路のガス流方向に対して垂直になるようにこの外枠に固着されたメッシュを有するメッシュユニットと、
所定長の樋状の外枠部、及びこの外枠部の内壁に前記流路の断面を所定の比率で分割するようにそれぞれ平行に配設された整流板を有する整流板ユニットと、
前記メッシュユニット又は前記整流板ユニットのいずれか一方に設けられた一対の係止片と、
前記一対の係止片に対応して、前記メッシュユニット又は前記整流板ユニットの他方に設けられた一対の係止溝とを含む
ことを特徴とする整流器。
【請求項２】
請求項１記載の整流器において、
前記係止片は、前記メッシュユニット側に形成され、
前記係止溝は、前記整流板ユニット側に設けられている
ことを特徴とする整流器。
【請求項３】
請求項２記載の整流器において、
前記メッシュユニットは、前記整流板ユニットを挟むようにして取り付けられる第１メッシュユニット及び第２メッシュユニットから構成され、
前記整流板ユニットは、前記第１メッシュユニット及び前記第２メッシュユニットそれぞれの係止片に対応する係止溝を有する
ことを特徴とする整流器。
【請求項４】
請求項１〜３のうちのいずれか一項に記載の整流器において、
前記係止片は、前記第１及び前記第２メッシュユニットの側面縁部から可撓性のある腕状になって突設され、先端付近には内向する係止突起を有し、
前記係止溝は、前記整流板ユニットの対向する側面外壁がくりぬかれるようにして形成され、前記係止突起がスライド可能なスライド溝、及び前記係止突起に対応した形状の係止凹部を有する
ことを特徴とする整流器。
【請求項５】
請求項１〜４のうちのいずれか一項に記載の整流器において、
前記整流板ユニットの外枠部の対向する内壁には、前記整流板がそれぞれスライド挿入される溝が形成されている
ことを特徴とする整流器。
【請求項６】
請求項１〜５のうちのいずれか一項に記載の整流器において、
前記第１メッシュユニット及び第２メッシュユニットの高さと前記整流板ユニットの高さとは異なり、
この異なる高さにそれぞれ応じた段差を有するガスメータ本体の整流器収容部に装着される
ことを特徴とする整流器。
【発明の詳細な説明】
【０００１】
【発明の属する技術分野】
本発明は、電子式ガスメータ等の流路に装着される整流器に関し、特に、交換可能にユニット化された整流器に関する。
【０００２】
【従来の技術】
従来、電子式ガスメータ等の流路には、流量検出精度を高める目的でメッシュユニット及び整流板ユニットを含む整流器が装着されることが知られている。そして、この整流器を交換可能にユニット化するというアイディアがあるが、従来の整流器では、構造的な問題によって組み付け後にガタツキが発生しやすく流量測定精度を低下させる等の問題があった。このような従来の整流器及びその問題点を以下に図面を用いて説明する。
【０００３】
図６は、従来の整流板ユニット及びメッシュユニットが装着されたガスメータの一例を示す背面図である。図７は、図６に示した整流板ユニットを示し、特に、図７（Ａ）、図７（Ｂ）及び図７（Ｃ）はそれぞれ、その正面図、平面図及び図７（Ｂ）におけるＹＹ線断面図である。また、図８は、図６に示したメッシュユニットを示し、特に、図８（Ａ）、図８（Ｂ）及び図８（Ｃ）はそれぞれ、その正面図、側面図及び図８（Ａ）におけるＺＺ線断面図である。
【０００４】
図６に示すように、箱型状の外形をしたガスメータ７の上面には、ガス供給源側及びガス消費源側に至るそれぞれのガス配管に連接される円筒状の流入口７１及び流出口７２が設けられている。流入口７１から流入したガスは、正面からみてＵ字型のガスメータに形成された流路７３を経て、流出口７２側に流出していく。この流路７３の途中には、図７及び図８で後述する整流板ユニット８及びメッシュユニット９の形状に対応した収容部７４が形成されており、ここには、整流板ユニット８及びメッシュユニット９が装着されている。特に、収容部７４は、メッシュユニット９、メッシュユニット９′の固定片９１、固定片９１′に対応した固定溝７４１を有している。そして、ここでは図示しないが、整流板ユニット８の向こう側には、流路７３を通過するガス流量を検出するための流量センサが設けられている。
【０００５】
また、このガスメータ７には、遮断弁装置、圧力検出器、感震器、表示器、電池等の関連部品７５が所定位置に配置されている。更に、このガスメータ７の背面には、板状の裏面カバー７６が、複数のネジ止部７７Ａ、７７Ｂを利用してネジ止め固定される。なお、図示しないが、このガスメータ７の表面には、表示部、操作部等が配設された表カバーが覆設されている。
【０００６】
そして、このようなガスメータ７は、流量センサにより検出された流路７６を通過するガス流量を、ここでは図示しないマイコンにより積算して、その値を表示器上に表示させる。また、流量等の異常時にはマイコンにより指令されて、流路７３が遮断弁装置により遮断される。
【０００７】
上記収容部７４に装着される整流板ユニット８は、図７（Ａ）、図７（Ｂ）及び図７（Ｃ）に示すように、所定長で断面凹状をした外枠部８２、及びこの外枠部８２の内壁にそれぞれ等間隔で平行に配設された複数の薄い板状の整流板８１を有する。また、上記収容部７４に装着されるメッシュユニット９は、図８（Ａ）、図８（Ｂ）及び図８（Ｃ）に示すように、メッシュユニット９は、下部に固定片９１が形成された所定長の四角形筒状の外枠部９２、及びこの外枠部９２により形成される両開口面をそれぞれ覆い、この外枠部９２に固着されたメッシュ９３を有する。なお、図６で示したメッシュユニット９′は、このメッシュユニット９と対称的で同型状をしている。
【０００８】
そして、上記整流板ユニット８及びメッシュユニット９、９′の収容部７４への装着時には、複数の所定のメッシュユニット９、９′のそれぞれの固定片９１９１′が収容部７４の固定溝７４１に対応するように方向性を合わせた上で仮装着され、この後整流板ユニット８が複数のメッシュユニット９、９′に挟まれるようにして装着される。そして、裏面カバーによって、収容部７４に装着された整流板ユニット８及びメッシュユニット９、９′が固定される。
【０００９】
【発明が解決しようとする課題】
ところが、上述のように、従来の整流板ユニット８及びメッシュユニット９、９′は、収容部７４中に互いに付設されて装着されているのみである。すなわち、整流板ユニット８及びメッシュユニット９、９′は互いに固定的に一体化されていないため、ガタツキが発生しがちである。特に、組み合わされるユニットの数が増えるに伴いガタツキが発生しやすくなる。この結果、ガスメータとして個体差が大きくなり、流量測定精度にバラツキが発生することになる。また、組み付けられるユニットの数が増えるに伴い組み付け時のミスも発生しやすくなる。更に、メッシュユニット９、９′は図８に示したような固定片９１を有しているので、各メッシュユニット９、９′毎に取付方向に注意を払わなければならないという問題もあった。
【００１０】
よって本発明は、上述した現状に鑑み、整流器を構成する各ユニットの一体化及び流路への装着が容易であり、更にガタツキも効果的に防止する整流器を提供することを課題としている。
【００１１】
【課題を解決するための手段】
上記課題を解決するためになされた請求項１記載の整流器は、流量センサが設置される流路５３の途中に装着されるユニット化された整流器１であって、所定長の筒状の外枠部、及びこの外枠部により形成される開口面を覆い、前記流路５３のガス流方向に対して垂直になるようにこの外枠に固着されたメッシュを有するメッシュユニット１１（１２）と、所定長の樋状の外枠部、及びこの外枠部の内壁に前記流路５３の断面を所定の比率で分割するようにそれぞれ平行に配設された複数の整流板１４を有する整流板ユニット１３と、前記メッシュユニット１１又は前記整流板ユニット１３のいずれか一方に設けられた一対の係止片（１１１等）と、前記一対の係止片に対応して、前記メッシュユニット１１又は前記整流板ユニット１３の他方に設けられた一対の係止溝（１３１等）とを含むことを特徴とする。
【００１２】
請求項１記載の発明によれば、本整流器１は、ユニット化されており流量センサが設置されている流路５３の途中に装着される。そして本整流器１では、特に、メッシュユニット１１又は整流板ユニット１３のいずれか一方には一対の係止片が設けられており、他方には一対の係止片に対応した一対の係止溝が設けられている。そして、これら係止片及び係止溝を利用してメッシュユニット１１と整流板ユニット１３とが一体化された整流器１が形成される。このように、本発明によれば、係止片及び係止溝を利用してメッシュユニット１１と整流板ユニット１３とを容易に強固に一体化することができる。また、上記一体化には接着材等は不要なので、整流板ユニット１３とメッシュユニット１１とは分離することも容易である。交換が容易なので、ユニットの組み合わせを変更することにより計測精度の調整も可能になる。
【００１３】
上記課題を解決するためになされた請求項２記載の整流器は、請求項１記載の整流器において、前記係止片は、前記メッシュユニット１１（１２）側に形成され、前記係止溝は、前記整流板ユニット１３側に設けられていることを特徴とする。
【００１４】
請求項２記載の発明によれば、係止片はメッシュユニット１１側に形成され、係止溝は整流板ユニット１３側に設けられているので組み立てが容易になる。すなわち、係止片と係止溝とを利用した一体化において、複数の整流板１４が配設される整流板ユニット１３側に係止溝を割り当てることは、整流板ユニット１３側に係止片を割り当てるのと比較して、よりスムースに整流板１４を整流板ユニット１３に取り付けることができる。
【００１５】
上記課題を解決するためになされた請求項３記載の整流器は、請求項２記載の整流器において、前記メッシュユニット１１（１２）は、前記整流板ユニット１３を挟むようにして取り付けられる第１メッシュユニット１１及び第２メッシュユニット１２から構成され、前記整流板ユニット１３は、前記第１メッシュユニット１１及び前記第２メッシュユニット１２それぞれの係止片に対応する複数の係止溝を有することを特徴とする。
【００１６】
請求項３記載の発明によれば、第１メッシュユニット１１及び第２メッシュユニット１２が、係止片及び係止溝を利用して、整流板ユニット１３を挟むようにして取り付けられるようにしているので、整流板ユニット１３に組み合わされるメッシュユニットの選択肢が広がる。
【００１７】
上記課題を解決するためになされた請求項４記載の整流器は、請求項１〜３のうちのいずれか一項に記載の整流器において、前記係止片は、前記第１及び前記第２メッシュユニット１１、１２の側面縁部から可撓性のある腕状になって突設され、先端付近には内向する係止突起を有し、前記係止溝は、前記整流板ユニット１３の対向する側面外壁がくりぬかれるようにして形成され、前記係止突起がスライド可能なスライド溝、及び前記係止突起に対応した形状の係止凹部１３１ａを有することを特徴とする。
【００１８】
請求項４記載の発明によれば、係止片は、メッシュユニット１１、１２の側面縁部から可撓性のある腕状になって突設され、先端付近には内向する係止突起を有し、係止溝は、整流板ユニット１３の対向する側面外壁がくりぬかれるようにして形成され、係止突起がスライド可能なスライド溝及び係止突起に対応した形状の係止凹部１３１ａを有するので、可撓性を利用しつつ係止突起をスライド溝に沿って係止溝まで容易に誘導することができる。
【００１９】
上記課題を解決するためになされた請求項５記載の整流器は、請求項１〜４のうちのいずれか一項に記載の整流器において、前記整流板ユニット１３の外枠部の対向する内壁には、前記複数の整流板１４がそれぞれスライド挿入される複数の溝１３５が形成されていることを特徴とする。
【００２０】
請求項５記載の発明によれば、整流板ユニット１３の外枠部の対向する内壁には、複数の整流板１４がそれぞれスライド挿入される複数の溝１３５が形成されているので、整流板ユニット１３の組み立てが容易になる。
【００２１】
上記課題を解決するためになされた請求項６記載の整流器は、請求項１〜５のうちのいずれか一項に記載の整流器において、前記第１メッシュユニット１１及び第２メッシュユニット１２の高さｈ１と前記整流板ユニット１３の高さｈ２とは異なり、この異なる高さｈ１、ｈ２にそれぞれ応じた段差を有するガスメータ本体の整流器収容部５４に装着されることを特徴とする。
【００２２】
請求項６記載の発明によれば、高さｈ１、ｈ２の異なるメッシュユニット１１、１２及び整流板ユニット１３が一体化されて構成される整流器１は、この異なる高さｈ１、ｈ２にそれぞれ応じた段差を有するガスメータ本体の整流器収容部５４に装着されるので、整流器１のガスメータ本体への装着が容易になる上、装着後の安定性も維持される。
【００２３】
【発明の実施の形態】
以下、本発明の実施の形態を図面に基づいて説明する。
まず、図１及び図２を用いて、本発明の整流器の一実施形態について説明する。図１及び図２はそれぞれ、本発明の整流器の一実施形態を示す斜視図及び分解斜視図である。
【００２４】
図１及び図２に示すように、本整流器１は、第１及び第２メッシュユニット１１及び１２、並びに整流板ユニット１３から構成される。これらユニット１１、１２及び１３はそれぞれ別途に形成されて、これらが一体化されて一つの整流器１が形成される。このような整流器１は、例えば、後述するガスメータの流量センサが設置されている流路の途中に装着される。
【００２５】
第１メッシュユニット１１は、所定長の四角形筒状の外枠部、及びこの外枠部により形成される両開口面をそれぞれ覆い、本整流器１が装着される流路のガス流方向に対して垂直になるようにこの外枠部に固着されたメッシュ１５Ａ、１５Ｂを有する。これら外枠部及びメッシュはそれぞれ、例えば、耐熱性プラスティック製及び金属製である。この第１メッシュユニット１１の両側面縁部からは可撓性のある腕状の係止片１１１、１１３が突設されている。そして、これら係止片１１１、１１３のそれぞれの先端付近には内向する係止突起１１１ａ、１１３ａが形成されている。なお、この第１メッシュユニット１１の高さはｈ１とする。
【００２６】
このような係止片１１１、１１３の可撓性を利用して、係止突起１１１ａ、１１３ａを後述する整流板ユニット１３のスライド溝に沿って係止溝まで容易に誘導することができる。すなわち、両ユニットの一体化が容易になる。また、係止突起１１１ａ、１１３ａと係止溝１３１との係合により、両ユニットの固定も確実になる。
【００２７】
また、第２メッシュユニット１２も第１メッシュユニット１１と同様の構成を有しており、所定長の四角形筒状の外枠部、及びこの外枠部により形成される内側開口面を覆い、本整流器１が装着される流路のガス流方向に対して垂直になるようにこの外枠に固着されたメッシュ１５Ｃを有する。これら外枠部及びメッシュはそれぞれ、例えば、耐熱性プラスティック製及び金属製である。なお、外枠部に固着されるメッシュは、第１メッシュユニット１１と同様に、外枠部の両開口面をそれぞれ覆うように２枚、設けるようにしてもよい。この第２メッシュユニット１２の両側面縁部からも可撓性のある腕状の係止片１２２、１２４が突設されている。そして、これら係止片１２２、１２４のそれぞれの先端付近には内向する係止突起１２２ａ、１２４ａが形成されている。この第２メッシュユニット１２の高さもｈ１とする。
【００２８】
一方、整流板ユニット１３は、所定長で断面凹状をした外枠部、及びこの外枠部の内壁に流路の断面を均等に分割するようにそれぞれ等間隔で平行に配設された複数の薄い板状の整流板１４を有する。これら外枠部及び整流板１４は共に、例えば、耐熱性プラスティック製である。この整流板ユニット１３には、対向する側面外壁がくりぬかれるようにして４つの係止溝１３１、１３２等（係止片１１３、１２４に対応する係止溝は付図示）が形成されている。詳細には、係止溝１３１は、上記係止片１１１の係止突起１１１ａがスライド可能なスライド溝１３１ｂ及び係止突起１１１ａに対応した形状の係止凹部１３１ａから構成される。また、整流板ユニット１３の外枠部の対向する内壁には、薄板状の上記複数の整流板１４がそれぞれスライド挿入される複数の溝１３５が形成されている。これらの溝１３５を利用して、複数の整流板１４が容易に取り付けられる。
【００２９】
他の係止溝１３２等も同様であるのでここでは説明を省略する。なお、この整流板ユニット１３の高さｈ２は、上記第１メッシュユニット１１及び第２メッシュユニット１２の高さｈ１よりもやや低く設定されている。この理由については後述する。
【００３０】
そして、上記整流板ユニット１３を両側から挟むように、第１メッシュユニット１１及び第２メッシュユニット１２が組み付けられて整流器１が形成される。すなわち、整流器１の組み立て時には、まず、複数の整流板１４がそれぞれ、整流板ユニット１３の複数の溝１３５にスライド挿入される。次に、上記係止片１１１、１１３の係止突起１１１ａ、１１３ａを、係止溝１３１のスライド溝１３１ｂ等上をスライドさせながら、係止凹部１３１ａ等まで誘導して、係止突起１１１ａ、１１３ａを係止凹部１３１ａ等に係合させる。これによって、第１メッシュユニット１１を整流板ユニット１３に固定する。
【００３１】
同様にして、第２メッシュユニット１２の整流板ユニット１３への固定時には、上記係止片１２２、１２４の係止突起１２２ａ、１２４ａを、係止溝１３２等のスライド溝１３２ｂ等上をスライドさせながら、係止凹部１３２ａ等まで誘導して、係止突起１２２ａ、１２４ａを係止凹部１３２ａ等に係合させる。なお、この第２メッシュユニット１２の整流板ユニット１３への固定を、上記第１メッシュユニット１１の整流板ユニット１３への固定より先に行ってもよいし、組み立て時間節約のために、第１メッシュユニット１１及び第２メッシュユニット１２を同時に整流板ユニット１３に固定するようにしてもよい。
【００３２】
このようにして組み立てられた整流器１は、後述するガスメータ本体５の流路の所定位置に固定されて、例えば、整流板ユニット１３により上流側からのガス流を整流したり、メッシュユニット１１、１２によりガス流中に発生した渦を細かく砕いて流速分布を一様にしたり、ガスの逆流を防止したりする。
【００３３】
上述したように、係止片他及び係止溝を利用してメッシュユニット１１と整流板ユニット１３とを容易に強固に一体化することができる。これにより、従来例で示したように整流板ユニット１３とメッシュユニット１１との組み付け後のガタツキ等がなくなり、流量計測の精度が向上する。また、上記一体化には接着材等は不要なので、整流板ユニット１３とメッシュユニット１１とは分離することも容易であり、例えば、不良ユニットが発見された場合の交換作業も容易である。交換が容易なので、ユニットの組み合わせを変更することにより計測精度の調整も可能になる。また、ユニットの再利用も可能となり、コスト削減の効果も得られる。特に、係止片をメッシュユニット１１側に割り当て、複数の整流板１４が配設される整流板ユニット１３側に係止溝を割り当てることは、整流板ユニット１３側に係止片を割り当てるのと比較して、よりスムースに整流板１４を整流板ユニット１３に取り付けることができるようになる。更に、第１メッシュユニット１１及び第２メッシュユニット１２は、係止片及び係止溝を利用して、整流板ユニット１３を挟むようにして取り付けられるようにしているので、整流板ユニット１３に組み合わされるメッシュユニットの選択肢が広がり、より計測精度の高い流量検出が可能になる。
【００３４】
次に、図３、図４及び図５を用いて、上記図１及び図２で示した整流器が装着されるガスメータの一例について説明する。図３、図４及び図５はそれぞれ、図１及び図２で示した整流器が装着されるガスメータのガスメータ本体の一例を示す平面図、背面図及び図３におけるＸＸ線断面図である。
【００３５】
上述した整流器１が装着されるガスメータは、図３、図４及び図５に示すガスメータ本体５と、ガスメータ本体５の正面側に覆設される図示しないガスメータカバーから構成される。なお、ここでは、ガスメータは、マイコンを装備して流量検出、すなわち、ガス使用量検出をしたり、ガス流異常を検出して異常処理等を行うことができる電子式ガスメータを想定している。
【００３６】
図３、図４及び図５に示すように、ガスメータ本体５は箱型状の外形をしており、例えば、アルミダイキャスト製である。このガスメータ本体５の上面には、ガス供給源側及びガス消費源側に至るそれぞれのガス配管に連接される円筒状の流入口５１及び流出口５２が設けられている。流入口５１から流入したガスは、正面からみてＵ字型のガスメータ本体５に形成された流路５３を経て、流出口５２側に流出していく。この流路５３の途中には、上記整流器１の形状に対応した整流器収容部５４が形成されている。
【００３７】
この整流器収容部５４は、詳細には、整流器１を構成する第１メッシュユニット１１、第２メッシュユニット１２及び整流板ユニット１３にそれぞれ対応する第１メッシュユニット収容部５４１、第２メッシュユニット収容部５４２及び整流板ユニット収容部５４３から構成されている。特に、整流板ユニット収容部５４３には、流路５３を通過するガス流量を検出するための流量センサ、例えば、マイクロフローセンサ（不図示）の測定面に対応した円形状のセンサ孔５４４が設けられている。また、この整流器収容部５４は、前述した第１メッシュユニット１１及び第２メッシュユニット１２の高さｈ１及び整流板ユニット１３の高さｈ２に対応して段差がつくように形成されている。この段差により、整流器１が所定の位置に容易に装着できるようになる上、装着後の安定性も維持されてガス流量の検出精度も安定する。
【００３８】
また、このガスメータ本体５には、遮断弁装置、圧力検出器、感震器等の関連部品５５Ａ、５５Ｂ、５５Ｃが所定位置に配置される。また、上記関連部品５５Ａ、５５Ｂ、５５Ｃや流量検出等の各種処理を行うマイコンに電源を供給する複数個の電池５６が、ガスメータ本体５の中央部に配置される。更に、ガスメータ本体５には、上記関連部品５５Ａ、５５Ｂ、５５Ｃや、図示しない表面カバー、裏面カバーをネジ止め固定するための複数のネジ止部５７Ａ、５７Ｂ、５７Ｃ、５７Ｄが設けられている。
【００３９】
このような形状のガスメータ本体５に前述した整流器１が装着される。すなわち、整流器１は、ガスメータ本体５に形成された流路５３の途中にある整流器収容部５４に装着される。詳細には、図１に示す整流器１の一番上に配置される整流板１４が、図４に示すガスメータ本体５の整流器収容部５４のセンサ孔５４４に対向し、整流器１を構成する第１メッシュユニット１１、第２メッシュユニット１２及び整流板ユニット１３が、整流器収容部５４を構成する第１メッシュユニット収容部５４１、第２メッシュユニット収容部５４２及び整流板ユニット収容部５４３にそれぞれ対応するようにして、整流器１がガスメータ本体５の背面から装着される。
【００４０】
そして、このようにして整流器１が装着されたガスメータ本体５の背面側には、ここでは図示しない裏面カバーが覆設されて、複数のネジ止め部５７Ｂを利用してネジ止めされる。この裏面カバーの覆設により、ガスメータ本体５の所定位置に装着された整流器１は、安定的に確実にガスメータ本体５に固定される。また、ガスメータ本体５の正面側にも同様に、ここでは図示しない積算流量を表示する表示器や上記マイコン等を搭載した電子基板を挟んで、表示窓部やリセットスイッチ等が配設された表面カバーが覆設されて、複数のネジ止め部５７Ｄを利用してネジ止めされる。このようにして、本整流器１が装着されたガスメータが組み立て完了する。
【００４１】
なお、このようなガスメータでは、流量センサにより検出された流路５３を通過するガス流量を、ここでは図示しないマイコンにより積算して、その値が表示器上に表示される。また、流量等の異常時にはマイコンにより指令されて、流路５３が遮断弁装置により遮断される。
【００４２】
以上のように、本実施形態によれば、メッシュユニット１１と整流板ユニット１３とを強固に一体化することができる。これにより、ユニット組み付け後のガタツキ等がなくなり、流量計測の精度が向上する。また、整流板ユニット１３の組み立てをはじめ、メッシュユニット１１と整流板ユニット１３との一体化、更には一体化された整流器１のガスメータへの取り付けも非常に容易になる。
【００４３】
なお、本発明は、上述した電子式ガスメータの他、旧来の膜式メータをはじめ、他の流量計測装置にも適用可能である。また、整流器を構成するユニット数、このユニット及び係止片等の形状も、本発明の主旨を逸脱しない範囲で変更可能である。
【００４４】
【発明の効果】
以上説明したように、請求項１記載の発明によれば、係止片及び係止溝を利用してメッシュユニット１１と整流板ユニット１３とを容易に強固に一体化することができる。これにより、従来例で示したように整流板ユニット１３とメッシュユニット１１との組み付け後のガタツキ等がなくなり、流量計測の精度が向上する。また、上記一体化には接着材等は不要なので、整流板ユニット１３とメッシュユニット１１とは分離することも容易であり、例えば、不良ユニットが発見された場合の交換作業も容易である。交換が容易なので、ユニットの組み合わせを変更することにより計測精度の調整も可能になる。更に、ユニットの再利用も可能となり、コスト削減の効果も得られる。
【００４５】
請求項２記載の発明によれば、係止片はメッシュユニット１１側に形成され、係止溝は整流板ユニット１３側に設けられているので組み立てが容易になる。すなわち、係止片と係止溝とを利用した一体化において、複数の整流板１４が配設される整流板ユニット１３側に係止溝を割り当てることは、整流板ユニット１３側に係止片を割り当てるのと比較して、よりスムースに整流板１４を整流板ユニット１３に取り付けることができるようになる。
【００４６】
請求項３記載の発明によれば、第１メッシュユニット１１及び第２メッシュユニット１２が、係止片及び係止溝を利用して、整流板ユニット１３を挟むようにして取り付けられるようにしているので、整流板ユニット１３に組み合わされるメッシュユニットの選択肢が広がり、より計測精度の高い流量検出が可能になる。
【００４７】
請求項４記載の発明によれば、係止片は、メッシュユニット１１、１２の側面縁部から可撓性のある腕状になって突設され、先端付近には内向する係止突起を有し、係止溝は、整流板ユニット１３の対向する側面外壁がくりぬかれるようにして形成され、係止突起がスライド可能なスライド溝及び係止突起に対応した形状の係止凹部１３１ａを有するので、可撓性を利用しつつ係止突起をスライド溝に沿って係止溝まで容易に誘導することができる。すなわち、両ユニットの一体化が容易になる。また、係止突起と係止溝との係合により、両ユニットの固定も確実になる。
【００４８】
請求項５記載の発明によれば、整流板ユニット１３の外枠部の対向する内壁には、複数の整流板１４がそれぞれスライド挿入される複数の溝１３５が形成されているので、整流板ユニット１３の組み立てが容易になり、この結果、上述してきた整流板ユニット１３とメッシュユニット１１、１２との組み立ての容易性と合わせて、整流器１の組み立てが非常に容易になる。
【００４９】
請求項６記載の発明によれば、高さｈ１、ｈ２の異なるメッシュユニット１１、１２及び整流板ユニット１３が一体化されて構成される整流器１は、この異なる高さｈ１、ｈ２にそれぞれ応じた段差を有するガスメータ本体の流路に装着されるので、整流器１のガスメータ本体への装着が容易になる上、装着後の安定性も維持されてガス流量の検出精度も安定する。
【図面の簡単な説明】
【図１】本発明の整流器の一実施形態を示す斜視図である。
【図２】図１に示した整流器の分解斜視図である。
【図３】図１及び図２で示した整流器が装着されるガスメータの一例を示す平面図である。
【図４】図３で示したガスメータの背面図である。
【図５】図３におけるＸＸ線断面図である。
【図６】従来の整流板ユニット及びメッシュユニットが装着されたガスメータの一例を示す背面図である。
【図７】図７（Ａ）、図７（Ｂ）及び図７（Ｃ）はそれぞれ、図６に示した整流板ユニットの正面図、平面図及び図７（Ｂ）におけるＹＹ線断面図である。
【図８】図８（Ａ）、図８（Ｂ）及び図８（Ｃ）はそれぞれ、図６に示したメッシュユニットの正面図、側面図及び図８（Ａ）におけるＺＺ線断面図である。
【符号の説明】
１  整流器
１１  第１メッシュユニット（メッシュユニット）
１２  第２メッシュユニット（メッシュユニット）
１３  整流板ユニット
１４  整流板
１５Ａ、１５Ｂ、１５Ｃ  メッシュ
１１１  係止片
１１１ａ  係止突起
１３１  係止溝
１３１ｂ  スライド溝
１３１ａ  係止凹部
１３５  溝
【図１】
0004053796.tif 000002
【図２】
0004053796.tif 000003
【図３】
0004053796.tif 000004
【図４】
0004053796.tif 000005
【図５】
0004053796.tif 000006
【図６】
0004053796.tif 000007
【図７】
0004053796.tif 000008
【図８】
0004053796.tif 000009